(57)【要約】【課題】記録部の記録領域の一部分のみが使用されることを防止する。【解決手段】インクジェット記録装置は、記録用紙Ｐ３の搬送方向Ｘに対して左側を基準とする場合と、記録用紙Ｐ３の搬送方向Ｘに対して右側を基準とする場合と、の両方で印字することができる。具体的には、収容ストッカー１０の収容ガイド１２，１４を幅方向Ｙに移動させることで、インクジェット記録ヘッド３０を使用する領域を変更可能となっている。更に、排紙トレイ６０の排紙ガイド６２，６４も幅方向Ｙに移動する。なお、この移動に伴い、インク滴を吐出するインクジェット記録ヘッド３０の領域も自動的に変更される。（左基準から右基準となる）。このようにすることで、インクジェット記録ヘッド３０の一部領域のみを集中して使用されることがないので、画像品質の低下が防止される。更に、平均的に全領域を使用することで、インクジェット記録ヘッド３０の寿命も延びる。【選択図】図９
2007130974.tif 000002
【特許請求の範囲】
【請求項１】
搬送される記録媒体に画像を記録する記録部を有する記録装置において、
前記記録部は、記録可能な最大幅の記録媒体の幅以上を記録領域とし、
記録可能な最大幅より幅狭の記録媒体を記録する際は、前記記録部と前記記録媒体との相対位置を、前記記録媒体の搬送方向と直交する方向に変更可能としたことを特徴とする記録装置。
【請求項２】
前記記録部は、前記記録媒体の搬送方向と直交する方向に配置されたライン型の液滴吐出ヘッドであることを特徴とする請求項１に記載の記録装置。
【請求項３】
前記液滴吐出ヘッドは、複数の短尺の液滴吐出ユニットから構成され、
前記液滴吐出ユニット毎に交換可能であることを特徴とする請求項２に記載の記録装置。
【請求項４】
前記相対位置の変更は、前記短尺の液滴吐出ユニットの幅単位で変更することを特徴とする請求項３に記載の記録装置。
【請求項５】
前記記録部は、前記記録媒体の搬送方向と直交する方向に配置されたライン型のドットインパクト式記録ヘッドであることを特徴とする請求項１に記載の記録装置。
【請求項６】
前記記録部は、感光体に形成された静電潜像を現像して形成されたトナー像を前記記録媒体に転写する電子写真方式記録部であることを特徴とする請求項１に記載の記録装置。
【請求項７】
感光体に形成された静電潜像を現像して形成されたトナー像を、搬送される記録媒体に転写する記録装置において、
前記記録媒体の搬送方向と直交する方向に配置され、前記感光体に静電潜像を形成するライン型の記録部を備え、
前記記録部と前記記録媒体との相対位置を、前記記録媒体の搬送方向と直交する方向に変更可能としたことを特徴とする記録装置。
【請求項８】
前記記録部は、ライン型のＬＥＤヘッドであることを特徴とする請求項７に記載の記録装置。
【請求項９】
搬送方向と直交する方向に、前記記録媒体の位置を変更し、前記相対位置を変更することを特徴とする請求項１から請求項８のいずれか１項に記載の記録装置。
【請求項１０】
前記記録媒体は、記録媒体収容部に収容され、
前記記録媒体収容部内で前記記録媒体を、搬送方向と直交する方向に位置を変更し、前記相対位置を変更することを特徴とする請求項９に記載の記録装置。
【請求項１１】
前記記録部の上流側の紙送り機構部で、前記記録媒体を搬送方向と直交する方向に位置を変更し、前記相対位置を変更することを特徴とする請求項９に記載の記録装置。
【請求項１２】
搬送方向と直交する方向に位置を変更された前記記録媒体の位置に合わせて、排出部に該記録媒体が排出される排出位置も移動することを特徴とする請求項９から請求項１１のいずれか１項に記載の記録装置。
【請求項１３】
搬送方向と直交する方向に、前記記録部の位置を変更し、前記相対位置を変更することを特徴とする請求項１から請求項１２のいずれか１項に記載の記録装置。
【請求項１４】
所定のタイミングで自動的に前記相対位置が変更することを特徴とする請求項１から請求項１３のいずれか１項に記載の記録装置。
【請求項１５】
前記所定のタイミングは、最大幅より幅狭の記録媒体に連続的に所定数、記録を行ったときであることを特徴とする請求項１４に記載の記録装置。
【請求項１６】
前記所定のタイミングは、同一画像を連続的に所定数の記録媒体に記録を行ったときであることを特徴とする請求項１５に記載の記録装置。
【請求項１７】
前記所定のタイミングは、所定数の前記記録媒体に記録を行ったときであることを特徴とする請求項１４に記載の記録装置。
【請求項１８】
前記所定のタイミングは、前記記録媒体に記録した記録量が所定の記録量となったときであることを特徴とする請求項１４に記載の記録装置。
【請求項１９】
前記所定のタイミングは、記録開始から所定時間経過したときであることを特徴とする請求項１４に記載の記録装置。
【請求項２０】
記録可能な最大幅より幅狭の記録媒体が複数同時に並列して搬送されると共に、同時に複数の前記記録媒体に記録可能であることを特徴とする請求項１から請求項１９のいずれか１項に記載の記録装置。
【請求項２１】
搬送される記録媒体に画像を記録する記録部を有する記録装置の記録方法において、
前記記録部は、記録可能な最大幅の記録媒体の幅以上を記録領域とし、
記録可能な最大幅より幅狭の記録媒体を記録する際は、前記記録部と前記記録媒体との相対位置を、前記記録媒体の搬送方向と直交する方向に変更することを特徴とする記録方法。
【請求項２２】
前記記録部は、前記記録媒体の搬送方向と直交する方向に配置されたライン型の液滴吐出ヘッドであって、
概液滴吐出ヘッドは、複数の短尺の液滴吐出ユニットから構成され、液滴吐出ユニット毎に交換可能であると共に、
前記相対位置の変更は、前記短尺の液滴吐出ユニットの幅単位で変更することを特徴とする請求項２１に記載の記録方法。
【請求項２３】
感光体に形成された静電潜像を現像して形成されたトナー像を、搬送される記録媒体に転写する記録装置の記録方法において、
前記記録媒体の搬送方向と直交する方向に配置され、前記感光体に静電潜像を形成するライン型の記録部を備え、
前記記録部と前記記録媒体との相対位置を、前記記録媒体の搬送方向と直交する方向に変更可能としたことを特徴とする記録方法。
【請求項２４】
搬送方向と直交する方向に、前記記録媒体の位置を変更し、前記相対位置を変更することを特徴とする請求項２１から請求項２３のいずれか１項に記載の記録方法。
【請求項２５】
前記記録媒体は、記録媒体収容部に収容され、
前記記録媒体収容部内で前記記録媒体を、搬送方向と直交する方向に位置を変更し、前記相対位置を変更することを特徴とする請求項２４に記載の記録方法。
【請求項２６】
前記記録部の上流側の紙送り機構部で、前記記録媒体を搬送方向と直交する方向に位置を変更し、前記相対位置を変更することを特徴とする請求項２４に記載の記録方法。
【請求項２７】
搬送方向と直交する方向に位置を変更された前記記録媒体の位置に合わせて、該記録媒体が排出される排出部も移動することを特徴とする請求項２４から請求項２６のいずれか１項に記載の記録方法。
【請求項２８】
搬送方向と直交する方向に、前記記録部の位置を変更し、前記相対位置を変更することを特徴とする請求項２１から請求項２７のいずれか１項に記載の記録方法。
【請求項２９】
所定のタイミングで自動的に前記相対位置が変更することを特徴とする請求項２１から請求項２８のいずれか１項に記載の記録方法。
【請求項３０】
前記所定のタイミングは、最大幅より幅狭の記録媒体に連続的に所定数、記録を行ったときであることを特徴とする請求項２９に記載の記録方法。
【請求項３１】
前記所定のタイミングは、同一画像を連続的に所定数の記録媒体に記録を行ったときであることを特徴とする請求項２９に記載の記録方法。
【請求項３２】
前記所定のタイミングは、所定数の前記記録媒体に記録を行ったときであることを特徴とする請求項２９に記載の記録方法。
【請求項３３】
前記所定のタイミングは、前記記録媒体に記録した記録量が所定の記録量となったときであることを特徴とする請求項２９に記載の記録方法。
【請求項３４】
前記所定のタイミングは、記録開始から所定時間経過したときであることを特徴とする請求項２９に記載の記録方法。
【請求項３５】
記録可能な最大幅より幅狭の記録媒体が複数同時に搬送されると共に、同時に複数の前記記録媒体に記録することを特徴とする請求項２１から請求項３４のいずれか１項に記載の記録方法。
【発明の詳細な説明】
【技術分野】
【０００１】
本発明は、記録媒体に記録を行う記録装置、及び、記録方法に関する。
【背景技術】
【０００２】
ノズルからインク滴を吐出させながらインクジェット記録ヘッドを主走査方向に往復走査させ、記録用紙に画像を記録する、所謂ＰＷＡ方式のインクジェット記録装置が知られている。このようなＰＷＡ方式のインクジェット記録装置は、高速印字のためにノズル数を増加すると、インクジェット記録ヘッドの重量が増加し、インクジェット記録ヘッドを主走査方向に往復走査させる走査機構への負荷が大きくなる。このため、多ノズル化に限界があった。また、インクジェット記録ヘッドの往復走査の反転時に、余分な走査距離が生じるため、高速化をはかる上で不利であった。
【０００３】
これらを解決する方法として、記録用紙の幅方向と略同じ幅にノズルを配置したフルライン（記録媒体幅）の長尺のインクジェット記録ヘッドを固定し、記録用紙に画像形成する、所謂、ＦＷＡ方式のインクジェット記録装置が提案されている。
【０００４】
しかし、このような長尺のインクジェット記録ヘッドは、製造の歩留りがあまり良くない。また、高額な製造設備（例えば、大口径シリコンプロセス装置等)が必要である。
【０００５】
そこで、比較的ノズル数の少ないインクジェット記録ユニットをライン状に複数個、接続して長尺化する構成が開示されている。（例えば、特許文献１、特許文献２、特許文献２、特許文献３を参照）
さて、このような長尺のインクジェット記録ヘッドを固定して使用するインクジェット記録装置は、最大サイズの記録用紙（例えば、Ａ４やＡ３等)より幅狭のサイズの記録用紙（例えば、Ａ６や葉書サイズ等）を大量に印字すると、長尺のインクジェット記録ヘッドの一部分のみでインク滴を吐出して記録しつづけることになる。つまり、長尺のインクジェット記録ヘッドの一部分のみに集中的に負荷がかかる。このため、集中的に使用された一部分のみの劣化が進み、印字品位が低下する。また、最悪の場合、一部分のみ破損してしまうことが考えられる。
【０００６】
更に、記録用紙の搬送機構の、例えば、ゴムローラなども一部分のみが磨耗し、ジャム等が発生しやすくなる原因となってしまう。
【特許文献１】特開平１０-１８１００４号公報
【特許文献２】特開２００３-２６６７１０号公報
【特許文献３】特開２００１-１９９０７４号公報
【発明の開示】
【発明が解決しようとする課題】
【０００７】
本発明は、上記問題を解決すべく成されたもので、記録部の記録領域の一部分のみが使用されることを防止することを目的とする。
【課題を解決するための手段】
【０００８】
上記目的を達成するために請求項１に記載の記録装置は、搬送される記録媒体に画像を記録する記録部を有する記録装置において、前記記録部は、記録可能な最大幅の記録媒体の幅以上を記録領域とし、記録可能な最大幅の記録媒体より幅狭の記録媒体を印字する際、前記記録部と前記記録媒体との相対位置を、前記記録媒体の搬送方向と直交する方向に変更可能としたことを特徴としている。
【０００９】
請求項１に記載の記録装置では、記録部と記録媒体との相対位置を、記録媒体の搬送方向と直交する方向に変更可能としている。
【００１０】
さて、記録可能な最大幅の記録媒体より幅狭の記録媒体を印字すると、幅狭の記録媒体幅に対応する記録部の記録領域部分のみを使用し、その他の記録領域は使用しない。よって、この幅狭の記録媒体幅部分に対応する記録領域部分のみの劣化が進み、その他の部分は劣化が進まない。このため、記録領域全域では、劣化が進んだ部分と進んでいない部分とができる。つまり、特性にバラツキが発生し、印字品位が著しく低下する。また、平均的に一様に劣化しないので、寿命が短くなる。
【００１１】
そこで、記録領域の一部分のみが集中して使用されないように、記録部と記録媒体との相対位置を、記録媒体の搬送方向と直交する方向に変更し、特性のバラツキを抑え、印字品位の低下を防止している。また、平均的に使用されるので、寿命が延びる。
【００１２】
更に、記録部と記録媒体との相対位置を変更してから印字するので、例えば、シャトル方式のように１つの記録媒体への印字の際に、搬送方向に往復動作させる必要がなく、一括した印字が可能となり、印字速度を落とさないで済む効果も得られる。
【００１３】
請求項２に記載の記録装置は、請求項１に記載の構成において、前記記録部は、前記記録媒体の搬送方向と直交する方向に配置されたライン型の液滴吐出ヘッドであることを特徴としている。
【００１４】
請求項２に記載の記録装置では、記録媒体の搬送方向と直交する方向に配置されたライン型の液滴吐出ヘッドが記録領域の一部分のみに集中して使用されないので、記録領域全域の特性にバラツキが抑えられる。
【００１５】
なお、液滴吐出ヘッドの種類については限定されない。例えば、液滴を吐出する素子として、圧電素子、サーマル素子、静電素子等のいずれでも使用できる。
【００１６】
請求項３に記載の記録装置は、請求項２に記載の構成において、前記液滴吐出ヘッドは、複数の短尺の液滴吐出ユニットから構成され、前記液滴吐出ユニット毎に交換可能であることを特徴としている。
【００１７】
請求項３に記載の記録装置では、劣化した液滴吐出ユニットや寿命となった液滴吐出ユニットを交換できるので、特性のバラツキが更に抑えられる。
【００１８】
請求項４に記載の記録装置は、請求項３に記載の構成において、前記相対位置の変更は、前記短尺の液滴吐出ユニットの幅単位で変更することを特徴としている。
【００１９】
請求項４に記載の記録装置では、短尺の液滴吐出ユニットの幅単位で相対位置を変更するので、集中的に使用される記録領域が、液滴吐出ユニット単位で分散される。よって、特性の劣化も液滴吐出ユニット単位毎でおきるので好適である。
【００２０】
請求項５に記載の記録装置は、請求項１に記載の構成において、前記記録部は、前記記録媒体の搬送方向と直交する方向に配置されたライン型のドットインパクト式記録ヘッドであることを特徴としている。
【００２１】
請求項５に記載の記録装置では、記録媒体の搬送方向と直交する方向に配置されたライン型のドットインパクト式記録ヘッドが記録領域の一部分のみに集中して使用されないので、記録領域全域の特性にバラツキが抑えられる。
【００２２】
請求項６に記載の記録装置は、請求項１に記載の構成において、前記記録部は、感光体に形成された静電潜像を現像して形成されたトナー像を前記記録媒体に転写する電子写真方式記録部であることを特徴としている。
【００２３】
請求項６に記載の記録装置では、感光体の一部分のみが集中的に使用されないので、感光体の特性のバラツキが抑えられる。
【００２４】
請求項７に記載の記録装置は、感光体に形成された静電潜像を現像して形成されたトナー像を、搬送される記録媒体に転写する記録装置において、前記記録媒体の搬送方向と直交する方向に配置され、前記感光体に静電潜像を形成するライン型の記録部を備え、前記記録部と前記記録媒体との相対位置を、前記記録媒体の搬送方向と直交する方向に変更可能としたことを特徴としている。
【００２５】
請求項７に記載の記録装置では、ライン型の記録部の一部分のみが集中して使用されないので、ライン型の記録部の特性のバラツキが抑えられる。
【００２６】
請求項８に記載の記録装置は、請求項７に記載の構成において、前記記録部は、ライン型のＬＥＤヘッドであることを特徴としている。
【００２７】
請求項８に記載の記録装置では、ライン型のＬＥＤヘッドの一部分のみが集中して使用されないので、ＬＥＤ素子間の特性のバラツキが抑えられると共に、ＬＥＤ素子の寿命が延びる。
【００２８】
請求項９に記載の記録装置は、請求項１から請求項８のいずれか１項に記載の構成において、搬送方向と直交する方向に、前記記録媒体の位置を変更し、前記相対位置を変更することを特徴としている。
【００２９】
請求項９に記載の記録装置では、搬送方向と直交する方向に記録媒体の位置を変更し、相対位置を変更するので、記録部が大型化することなく相対位置を変更し、記録部の一部分のみが集中して使用されることを防止できる。
【００３０】
請求項１０に記載の記録装置は、請求項９に記載の構成において、前記記録媒体は、記録媒体収容部に収容され、前記記録媒体収容部内で前記記録媒体を、搬送方向と直交する方向に位置を変更し、前記相対位置を変更することを特徴としている。
【００３１】
請求項１０に記載の記録装置では、記録媒体収容部内で記録媒体を搬送方向と直交する方向に位置を変更し、相対位置を変更している。よって、簡単な構成で相対位置を変更できる。
【００３２】
請求項１１に記載の記録装置は、請求項９に記載の構成において、前記記録部の上流側の紙送り機構部で、前記記録媒体を搬送方向と直交する方向に位置を変更し、前記相対位置を変更することを特徴としている。
【００３３】
請求項１１に記載の記録装置では、記録部の上流側の紙送り機構部で、記録媒体を搬送方向と直交する方向に位置を変更し、相対位置を変更している。よって、例えば、記録媒体収容部の構成によらずに、相対位置を変更できる。
【００３４】
請求項１２に記載の記録装置は、請求項９から請求項１１のいずれか１項に記載の構成において、搬送方向と直交する方向に位置を変更された前記記録媒体の位置に合わせて、排出部に該記録媒体が排出される排出部も移動することを特徴としている。
【００３５】
請求項１２に記載の記録装置では、搬送方向と直交する方向に位置を変更された記録媒体の位置に合わせて、記録媒体が排出される排出位置も移動するので、排出部で記録媒体が揃う。
【００３６】
請求項１３に記載の記録装置は、請求項１から請求項１２のいずれか１項に記載の構成において、搬送方向と直交する方向に、前記記録部の位置を変更し、前記相対位置を変更することを特徴としている。
【００３７】
請求項１３に記載の記録装置では、搬送方向と直交する方向に記録部の位置を変更し、相対位置を変更している。よって、例えば、記録媒体の位置の変更が困難な場合でも、相対置換関係を変更し、記録部の一部分のみが集中して使用されることを防止できる。なお、記録媒体の位置の変更が困難な場合とは、例えば、連続紙を使用する記録装置など場合がある。
【００３８】
請求項１４に記載の記録装置は、請求項１から請求項１３のいずれか１項に記載の構成において、所定のタイミングで自動的に前記相対位置が変更することを特徴としている。
【００３９】
請求項１４に記載の記録装置では、所定のタイミングで自動的に相対位置が変更するので、記録部の一部分のみに集中して使用されることが確実に防止される。
【００４０】
請求項１５に記載の記録装置は、請求項１４に記載の構成において、前記所定のタイミングは、最大幅より幅狭の記録媒体に連続的に所定数、記録を行ったときであることを特徴としている。
【００４１】
請求項１５に記載の記録装置では、最大幅より幅狭の記録媒体に連続的に所定数、記録を行ったときに、相対位置を変更するので、記録部の一部分のみに集中して使用されることが確実に防止される。
【００４２】
請求項１６に記載の記録装置は、請求項１５に記載の構成において、前記所定のタイミングは、同一画像を連続的に所定数の記録媒体に記録を行ったときであることを特徴としている。
【００４３】
請求項１６に記載の記録装置では、同一画像を連続的に所定数の記録媒体に記録を行ったときに、相対位置を変更するので、記録部の一部分のみに集中して使用されることが確実に防止される。
【００４４】
請求項１７に記載の記録装置は、請求項１４に記載の構成において、前記所定のタイミングは、所定数の前記記録媒体に記録を行ったときであることを特徴としている。
【００４５】
請求項１７に記載の記録装置では、所定数の記録媒体に記録を行ったときに、相対位置を変更するので、記録部の一部分のみ集中して使用されることが確実に防止される。
【００４６】
請求項１８に記載の記録装置は、請求項１４に記載の構成において、前記所定のタイミングは、前記記録媒体に記録した記録量が所定の記録量となったときであることを特徴としている。
【００４７】
請求項１８に記載の記録装置では、記録媒体に記録した記録量が所定の記録量となったときに、相対位置を変更するので、記録部の一部分のみに集中して使用されることが確実に防止される。
【００４８】
請求項１９に記載の記録装置は、請求項１４に記載の構成において、前記所定のタイミングは、記録開始から所定時間経過したときであることを特徴としている。
【００４９】
請求項１９に記載の記録装置では、記録開始から所定時間経過したときに、相対位置を変更するので、記録部の一部分のみに集中して使用されることが確実に防止される。
【００５０】
請求項２０に記載の記録装置は、請求項１から請求項１９のいずれか１項に記載の構成において、記録可能な最大幅より幅狭の記録媒体が複数同時に並列して搬送されると共に、同時に複数の前記記録媒体に記録可能であることを特徴としている。
【００５１】
請求項２０に記載の記録装置は、幅狭の記録媒体が複数同時に並列して搬送されると共に、同時に複数の記録媒体に記録可能であるので、記録部の一部分のみに集中して使用されることが防止されると共に、記録速度が向上できる。
【００５２】
請求項２１に記載の記録方法は、搬送される記録媒体に画像を記録する記録部を有する記録装置の記録方法において、前記記録部は、記録可能な最大幅の記録媒体の幅以上を記録領域とし、記録可能な最大幅より幅狭の記録媒体を記録する際は、前記記録部と前記記録媒体との相対位置を、前記記録媒体の搬送方向と直交する方向に変更することを特徴としている。
【００５３】
請求項２２に記載の記録方法は、請求項２１の記録方法において、前記記録部は、前記記録媒体の搬送方向と直交する方向に配置されたライン型の液滴吐出ヘッドであって、概液滴吐出ヘッドは、複数の短尺の液滴吐出ユニットから構成され、液滴吐出ユニット毎に交換可能であると共に、前記相対位置の変更は、前記短尺の液滴吐出ユニットの幅単位で変更することを特徴としている。
【００５４】
請求項２３に記載の記録方法は、感光体に形成された静電潜像を現像して形成されたトナー像を、搬送される記録媒体に転写する記録装置の記録方法において、前記記録媒体の搬送方向と直交する方向に配置され、前記感光体に静電潜像を形成するライン型の記録部を備え、前記記録部と前記記録媒体との相対位置を、前記記録媒体の搬送方向と直交する方向に変更可能としたことを特徴としている。
【００５５】
請求項２４に記載の記録方法は、請求項２１から請求項２３の記録方法において、搬送方向と直交する方向に、前記記録媒体の位置を変更し、前記相対位置を変更することを特徴としている。
【００５６】
請求項２５に記載の記録方法は、請求項２４に記載の記録方法において、前記記録媒体は、記録媒体収容部に収容され、前記記録媒体収容部内で前記記録媒体を、搬送方向と直交する方向に位置を変更し、前記相対位置を変更することを特徴としている。
【００５７】
請求項２６に記載の記録方法は、請求項２４に記載の記録方法において、前記記録部の上流側の紙送り機構部で、前記記録媒体を搬送方向と直交する方向に位置を変更し、前記相対位置を変更することを特徴としている。
【００５８】
請求項２７に記載の記録方法は、請求項２４から請求項２６のいずれか１項に記載の記録方法において、搬送方向と直交する方向に位置を変更された前記記録媒体の位置に合わせて、該記録媒体が排出される排出部も移動することを特徴としている。
【００５９】
請求項２８に記載の記録方法は、請求項２１から請求項２７のいずれか１項に記載の記録方法において、搬送方向と直交する方向に、前記記録部の位置を変更し、前記相対位置を変更することを特徴としている。
【００６０】
請求項２９に記載の記録方法は、請求項２１から請求項２８のいずれか１項に記載の記録方法において、所定のタイミングで自動的に前記相対位置が変更することを特徴としている。
【００６１】
請求項３０に記載の記録方法は、請求項２９に記載の記録方法において、前記所定のタイミングは、最大幅より幅狭の記録媒体に連続的に所定数、記録を行ったときであることを特徴としている。
【００６２】
請求項３１に記載の記録方法は、請求項２９に記載の記録方法において、前記所定のタイミングは、同一画像を連続的に所定数の記録媒体に記録を行ったときであることを特徴としている。
【００６３】
請求項３２に記載の記録方法は、請求項２９に記載の記録方法において、前記所定のタイミングは、所定数の前記記録媒体に記録を行ったときであることを特徴としている。
【００６４】
請求項３３に記載の記録方法は、請求項２９に記載の記録方法において、前記所定のタイミングは、前記記録媒体に記録した記録量が所定の記録量となったときであることを特徴としている。
【００６５】
請求項３４に記載の記録方法は、請求項２９に記載の記録方法において、前記所定のタイミングは、記録開始から所定時間経過したときであることを特徴としている。
【００６６】
請求項３５に記載の記録方法は、請求項２１から請求項３４のいずれか１項に記載の構成において、記録可能な最大幅より幅狭の記録媒体が複数同時に搬送されると共に、同時に複数の前記記録媒体に記録することを特徴としている。
【発明の効果】
【００６７】
以上説明したように本発明によれば、記録部の一部分のみが集中して使用されることが防止されるので、記録領域の特性の劣化、破損、ばらつき、印字品位低下などの抑制が可能である。又、記録部と記録媒体との相対位置を変更してから記録媒体に印字するので、記録媒体への記録の際の、複数回の記録媒体回往復搬送が不要となり、印字速度を落とさない一括印字が可能である。
【発明を実施するための最良の形態】
【００６８】
まず、本発明をインクジェット記録装置１００に適用した第一実施形態について説明する。
【００６９】
図１に示すように、インクジェット記録装置１００は、記録用紙を積載して収容する収容ストッカー１０を備えている。
【００７０】
なお、以降、記号Ｐは記録用紙を示し、Ｐの後の数字は記録用紙のサイズを表すものである。また、数字は小さいほどサイズが大きく、Ｐ１＞Ｐ２＞Ｐ３の順になる。なお、サイズを示す必要がない場合は、単に記録用紙Ｐとする。
【００７１】
収容ストッカー１０の記録用紙Ｐは収容ガイド１２，１４の間に載置される。そして、給紙ローラ１６によって一枚ずつ送り出される。送り出された記録用紙Ｐは、第一搬送部２０に送られ、更に第二搬送部２２に送られる。そして、第二搬送部２２から排紙トレイ６０に排紙される。排紙トレイ６０にも排紙ガイド６２，６４が設けられており、記録用紙Ｐは、排紙ガイド６２，６４の間に排紙される。
【００７２】
第二搬送部２２の上方には、長尺状のインクジェット記録ヘッド３０が、記録用紙Ｐの搬送方向Ｘと直交するＹ方向（紙幅方向）に配置されている。
【００７３】
図２に示すように、インクジェット記録ヘッド３０には、搬送方向Ｘと直交するＹ方向（紙幅方向）に複数の記録ヘッドユニット３２が並んで配置されている。図２（Ｂ）に示すように、記録ヘッドユニット３２には、紙幅方向Ｙにライン状に複数のノズル５４が形成されている。そして、図１に示すように、第二搬送部２２を搬送される記録用紙に対し、ノズル５４（図２（Ｂ）参照）からインク滴を吐出することで、記録用紙Ｐ上に画像を記録する。なお、インクジェット記録ヘッド３０は、ひとつのみ図示しているが、いわゆるフルカラーの画像を記録するために、ＹＭＣＫの各色に対応して、少なくとも４つ配置されている。
【００７４】
図３に示すように、インクジェット記録ヘッド３０のノズル５４（図２（Ｂ）参照）による記録領域幅ＰＷは、このインクジェット記録装置１００での画像記録が想定される最大のサイズの記録用紙Ｐ１の用紙最大幅ＰＹよりも長くされており、インクジェット記録ヘッド３０を紙幅方向Ｙに移動させることなく最大サイズの記録用紙Ｐ１の全幅にわたる画像記録が可能となっている（いわゆるＦｕｌｌ  Ｗｉｄｔｈ  Ａｒｒａｙ（ＦＷＡ））。ここで、記録領域幅ＰＷとは、用紙の両端から印字しないマージンを引いた記録領域のうち最大のものが基本となるが、一般的には印字対象となる用紙最大幅ＰＹよりも大きくとっている。これは、記録用紙が搬送方向に対して所定角度傾斜して（スキューして）搬送されるおそれがあること、また縁無し印字の要請が高いためである。
【００７５】
次に、インクジェット記録ヘッド３０の詳細について説明する。
【００７６】
図２及び図４に示すように、インクジェット記録ヘッド３０は、長尺基板４０、複数の記録ヘッドユニット３２、及び、複数のスペーサー部材４２を含んで構成されている。長尺基板４０は、紙幅方向Ｙに長尺とされ、複数の開口部４０Ａ（図４参照）が形成されている。
【００７７】
長尺基板４０の下面には、スペーサー部材４２が取り付けられている。スペーサー部材４２は板状であり、各記録ヘッドユニット３２毎に、図４に示すように、搬送方向Ｘに互いに離間して２個配置されている。スペーサー部材４２は、長尺基板４０に２箇所でねじ４６によりねじ止めされている。これにより、スペーサー部材４２は長尺基板４０から取り外し可能とされている。２個のスペーサー部材４２の間には、インクタンク（図示略）からインクを記録ヘッドユニット３２へ供給するインク供給ユニット４４（図４参照）が配置される。なお、このように２個のスペーサー部材４２を、互いに離間して配置することにより、スペーサー部材４２自体にインク供給用の流路を設ける必要はなく、離間部分にインク供給ユニット４４を配置でき、インク供給経路を確保することが可能となる。更には、スペーサー部材４２にインク供給経路を形成する必要が無く、耐インク性を考慮しない材料選定が可能となり、スペーサー部材４２に使用する材料選定に自由度が得られる。
【００７８】
前述したように、図２（Ｂ）に示すように、記録ヘッドユニット３２は、ノズル面３２Ａにインクを吐出させるノズル５４が紙幅方向Ｙに１列に形成されており、また、内部には、インクを吐出させるための圧電素子、振動板、圧力室などが備えられている。
【００７９】
記録ヘッドユニット３２は、スペーサー部材４２を挟んで、長尺基板４０と逆側に配置されている。スペーサー部材４２と記録ヘッドユニット３２とは、ノズル面３２Ａ側からみて、紙幅方向Ｙに沿った長尺基板４０よりも外側の端辺部が、ほぼ同一形状とされている。記録ヘッドユニット３２は、紙幅方向Ｙに沿った両端辺部で、すなわち、記録ヘッドユニット３２の長手方向に沿った両端辺部で、スペーサー部材４２と接合固定されている。記録ヘッドユニット３２のスペーサー部材４２への接合固定は、接着剤Ｕ（図２（Ａ））で行なわれ、記録ヘッドユニット３２とスペーサー部材４２との間の前記両端辺部には接着剤Ｕが介在している。
【００８０】
記録ヘッドユニット３２とスペーサー部材４２との間には、接着剤Ｕの厚み分のギャップが構成され、このギャップを調整することにより、複数の記録ヘッドユニット３２のノズル面５２Ａの高さをそろえることができる。
【００８１】
なお、本実施形態では、接合固定に接着剤を用いた例で説明しているが、接合固定は溶接、その他の方法によることもできる。
【００８２】
インクジェット記録ヘッド３０は、このような構成をしているので、スペーサー部材４２を長尺基板４０から取り外すことにより、記録ヘッドユニット３２を長尺基板４０と分離することができる。つまり、記録ヘッドユニット３２毎に交換を行なうことができるようになっている。
【００８３】
次に本実施形態のインクジェット記録装置１００の動作等について説明する。
【００８４】
図１に示すように、外部装置、例えばパソコン等から、インクジェット記録装置１００に印刷を指令する電気信号が送られると、収容ストッカー１０から記録用紙Ｐが１枚ピックアップされ、第一搬送部２０に送られ、更に第二搬送部２２に送られる。
【００８５】
そして、第二搬送部２２が記録用紙Ｐを所定の搬送速度で搬送しつつ、記録ヘッドユニット３２の複数のノズル５４から選択的にインク滴を吐出することにより、記録用紙Ｐに画像データに基づく画像を記録する。画像が記録された記録用紙Ｐは、排紙トレイ６０の排紙ガイド６２，６４の間に排紙される。
【００８６】
さて、図３に示すように、インクジェット記録装置１００での画像記録が想定される用紙最大幅ＰＹの記録用紙Ｐ１を印字する場合は、インクジェット記録ヘッド３０の印字領域幅ＰＷの略全域を使用する。
【００８７】
一方、図５（Ａ）、図６（Ａ）、図７に示すように、記録用紙Ｐ１より幅狭の記録用紙Ｐ２、Ｐ３を印字する場合は、インクジェット記録ヘッド３０の記録領域ＰＷの一部のみを使用し、この一部以外の領域は使用しない。
【００８８】
このため、集中的に使用された一部領域のみ劣化が進み、この一部領域のみの印字品位が低下する。そして、一部領域以外の領域の印字品位（劣化の程度）と差が発生するので、記録用紙Ｐ１を印字すると、一部領域と一部以外の領域とで印字品位が異なり、全体の画像品質が非常に低下してしまう。
【００８９】
よって、本実施形態のインクジェット記録装置１００は、図５（Ａ），図６（Ａ），図７に示すように、記録用紙の搬送方向Ｘに対して左側を基準とする場合と、図５（Ｂ），図６（Ｂ），図８、図９に示すように、記録用紙Ｐの搬送方向Ｘに対して右側を基準とする場合と、の両方で印字することができる。
【００９０】
具体的には、図８、図９に示すように、収容ストッカー１０の収容ガイド１２，１４を幅方向Ｙに移動させることで、インクジェット記録ヘッド３０を使用する領域を変更可能となっている。（図５（Ｂ），図６（Ｂ）も参照）。更に、排紙トレイ６０の排紙ガイド６２，６４も幅方向Ｙに移動する。なお、この移動に伴い、インク滴を吐出するインクジェット記録ヘッド３０の領域も自動的に変更される。（左基準から右基準となる）。
【００９１】
このように、インクジェット記録ヘッド３０と記録用紙Ｐとの幅方向Ｙの相対位置を変更することで、インクジェット記録ヘッド３０の一部領域のみを集中して使用されることがないので、画像品質の低下が防止される。更に、平均的に全領域を使用することで、インクジェット記録ヘッド３０の寿命も延びる。
【００９２】
又、インクジェット記録ヘッド３０と記録用紙Ｐとの幅方向Ｙの相対位置を変更した後、記録用紙Ｐへの一括印字ができるので、印字速度を落とさないで済む。
【００９３】
また、収容ストッカー１０の収容ガイド１２，１４と排紙トレイ６０の排紙ガイド６２、６４の移動は手動で行う構成であっても良いが、本実施形態では自動的に所定のタイミングで移動する構成となっている。
【００９４】
所定のタイミングは、例えば、所定の枚数の記録用紙Ｐに記録したとき、記録開始から所定時間経過したとき、記録用紙Ｐに記録した記録量が所定の記録量となったとき、同一の画像を所定枚数記録したとき、起動時毎等がある。なお、記録用紙Ｐに記録した記録量は、本実施形態においては、インクジェット記録ヘッド３０が記録用紙Ｐに吐出したインク滴の数量と一致する。また、起動時とは、装置電源ＯＦＦ後の電源をＯＮして起動したとき、前回起動とは異なる位置に移動する場合である。
【００９５】
次に、更に具体的に説明していく。
【００９６】
例えば、図１０に示すように、同一のサイズの記録用紙Ｐ３に同一の画像（図１０ではひらがなの「あ」）を所定枚数記録したときに、移動する。このように、同一の画像の場合は、インク滴を吐出するノズル５４が特定されるので、このように、移動してインク滴を吐出するノズル５４を変更することは非常に有効である。
【００９７】
なお、図１０では、同一のサイズの記録用紙Ｐ３に記録する場合であったが、図１１に示すように、異なるサイズ（この場合は、記録用紙Ｐ２と記録用紙Ｐ３）に同一の画像を記録する場合であっても同様である。
【００９８】
更に、異なるサイズ、例えば、図１２（Ａ）−１，（Ａ）−２に示すように、記録用紙Ｐ２と記録用紙Ｐ３をランダムに記録する場合であっても、同一画像を所定枚数に記録すると図１２（Ｂ）−１，（Ｂ）−２のように、移動する構成であっても良い。
【００９９】
なお、図１２（Ｂ）−１は右基準でなく、中央基準とする例でもある。
【０１００】
また、左基準と右基準とを移動するだけでなく、上述したように、図１２（Ｂ）−１のように右基準と中央基準とを移動する構成であっても良い。或いは、左基準、中央基準、右基準の３つの位置のいずれかの位置に移動する構成であっても良い。
【０１０１】
更に、図１３の（Ａ）から（Ｄ）に順番に示すように、記録用紙Ｐのサイズ幅毎に順番にずらして移動する構成であっても良い。なお、図１３（Ｄ）の後は、図１３（Ａ）に戻る。或いは、（Ａ）から（Ｄ）をランダムに選択してもよい。
【０１０２】
更に、図１４の（Ａ）から（Ｃ）に順番に示すように、記録ヘッドユニット３２単位で移動する構成であっても良い。或いは、図１５に示すように、記録ヘッドユニット３２と記録用紙Ｐのサイズの幅とを考慮して、記録ヘッドユニット３２を二つ分ずつ移動する構成であっても良い。
【０１０３】
また、図示は省略するが、上下複数段に収容ストッカー１０を設け、それぞれ異なる位置に収容ガイド１２，１４があり、記録用紙Ｐ２，Ｐ３が配置される構成であっても良い。例えば、図７、図８の収容ストッカー１０を上下に重ねた構成である。
【０１０４】
更に、図１６、図１７に示すように、２枚の記録用紙Ｐ２、Ｐ３を同時に並列して搬送して、同時に記録する構成であっても良い。この場合は、前述したように、複数の収容ストッカー１０を重ねる構成とすれば良い。
【０１０５】
なお、記録用紙Ｐの移動は、上述した収容ストッカー１０の収容ガイド１２，１４の移動以外の方法で実現しても良い。
【０１０６】
例えば、図１８に示すように、第二搬送部１２２に記録用紙Ｐを搬送したのち、第二搬送部１２２全体を矢印Ｗで示すように、Ｙ方向に移動する構成であっても良い。
【０１０７】
更に、図１９に示すように、インクジェット記録ヘッド３０を搬送方向Ｘと直交するＹ方向に移動する構成とし、インクジェット記録ヘッド３０と記録用紙ＰとのＹ方向の相対位置を変更しても良い。また、記録用紙Ｐとインクジェット記録ヘッド３０との両方共にＹ方向に移動する構成であっても良い。
【０１０８】
つぎに、本発明をドットインパクト記録装置２００に適用した第二実施形態について説明する。
【０１０９】
図２０に示すように、ドットインパクト記録装置２００は、プラテン２０３を備えている。プラテン２０３は、左右両側部がサイドフレーム２０４，２０５によって支持されている。更に、記録用紙Ｐ１より長い、長尺状のドットインパクト式記録ヘッド２０７が搬送方向と直交するＹ方向に配置されている。また、ドットインパクト式記録ヘッド２０７には、複数の記録ユニット２３２がＹ方向に複数列並でいる。
【０１１０】
図２１に示すように、記録ユニット２３２は、ピエゾ素子２８１を備えている。そして、このピエゾ素子２８１の伸縮によって、アーム２８４が支点２８６を中心に回動し、ワイヤー２８２の先端が矢印Ｇで示すように突出駆動する。そして、インクリボン２１０を、ワイヤー２８２の先端で叩き、プラテン２０３とインクリボン２１０の間にある記録用紙Ｐに印字する。
【０１１１】
なお、図示は省略しているが、図２０の上流側に第一実施形態で説明した収容ストッカーがあり、下流側に排紙トレイがある。
【０１１２】
さて、このようなドットインパクト記録装置２００も、ドットインパクト式記録ヘッド２０７の一部領域のみを集中して使用すると、その部分の記録ユニット２３２のピエゾ素子２８１やワイヤー２８２のみが劣化してしまう。よって、第一実施形態と同様に、一部領域のみの記録ユニット２３２のみに使用が集中しないように、記録用紙Ｐとドットインパクト式記録ヘッド２０７との相対位置を変更している。相対位置の変更についての詳細な説明は、第一実施形態と重複するので省略する。
【０１１３】
なお、記録ユニット２３２であるが、上記実施形態では、ワイヤーを突出駆動させる手段としピエゾ素子２８１を使用したが、電磁石を用いたコイルでワイヤーを突出駆動させる構成であっても良い。
【０１１４】
つぎに、本発明を電子写真方式の記録装置３００に適用した第三実施形態について説明する。
【０１１５】
図２２に示すように、記録装置３００は電子写真記録部３０２を備えている。電子写真記録部３０２は、矢印Ｂ方向に定速回転する感光体ドラム３１２を備えている。なお、この感光体ドラム３１２の回転方向（矢印Ｂ）が副走査方向に対応する。
【０１１６】
この感光体ドラム３１２の周囲には、感光体ドラム３１２の回転方向に沿って、帯電器３１４、ＬＥＤプリンタヘッド３１６、現像器３１８、転写ロール３２０、クリーナ３２３、イレーズランプ（図示省略）が順に配設されている。また、図示は省略しているが、図２２の上流側に第一実施形態で説明した収容ストッカーがあり、下流側に排紙トレイがある。
【０１１７】
感光体ドラム３１２は、帯電器３１４によって表面が一様に帯電された後、ＬＥＤプリンタヘッド３１６によって光ビームが照射されて、感光体ドラム３１２上に潜像が形成される。形成された潜像は、現像器３１８によって現像され、感光体ドラム３１２上にトナー像が形成される。そして、収容ストッカー（第一実施形態を参照）から送り出され、第二搬送部３２２によって搬送されている記録用紙Ｐに、感光体ドラム３１２上のトナー像が転写ロール３２０によって転写される。
【０１１８】
転写後に感光体ドラム３１２に残留しているトナーはクリーナ３２３によって除去され、イレーズランプによって除電された後、再び帯電器３１４によって帯電されて、同様の処理を繰り返す。
【０１１９】
トナー像が転写された記録用紙Ｐは、定着器３２８に搬送されて定着し、排紙トレイ（第一の実施形態を参照）に排紙される。
【０１２０】
図２３、図２４に示すように、ＬＥＤプリンタヘッド３１６は、ＬＥＤアレイ３３２、ハウジング３３６、ＬＥＤアレイ３３２の駆動を制御する各種信号を供給するための回路が形成されたプリント基板３４０、及び、ＬＥＤアレイ３３２から出射された光を感光体ドラム３１２上に結像させるセルフォックレンズアレイ３３４（セルフォックは、日本板硝子（株）の登録商標）を備えている。ＬＥＤアレイ３３２、及びプリント基板３４０は、ハウジング３３６内に取り付けられている。なお、感光体３１２、及びＬＥＤプリントヘッド３１６のＹ方向の幅は、記録用紙Ｐ１のＹ方向の幅より幅広である。
【０１２１】
さて、このような電子写真方式の記録装置３００も、感光体ドラム３１２の一部領域のみを集中して使用すると、その部分のみが劣化してしまう。或いは、記録用紙Ｐ２，Ｐ３の幅方向のエッジによって、感光体ドラム３１２に傷が入ることもある。また、集中して使用される部分のＬＥＤアレイ３３２のみも劣化してしまう。よって、第一実施形態と同様に、一部領域のみに集中しないように、記録用紙Ｐと記録部３０２との、搬送方向Ｘと直交するＹ方向の相対位置を変更している。なお、Ｙ方向の相対位置の変更は、詳細な説明は第一実施形態と重複するので省略する。
【０１２２】
また、ＬＥＤプリンタヘッド３１６のみを、搬送方向Ｘと直交するＹ方向に移動する構成としても良い。
【０１２３】
更に、記録用紙Ｐと記録部３０２とのＹ方向の相対位置でなく、記録用紙ＰとＬＥＤプリントヘッド３１６とのＹ方向の相対位置を変更する構成であっても良い。
【０１２４】
なお、本発明は上記実施形態に限定されない。例えば、熱転写方式の記録装置などその他の記録装置にも適用できる。
【図面の簡単な説明】
【０１２５】
【図１】本発明の第一実施形態に係るインクジェット記録装置を模式的に示すと共に、最大幅の記録用紙Ｐ１に記録している様子を示す、（Ａ）は上方から見た図であり、（Ｂ）は側方から見た断面図ある
【図２】インクジェット記録ヘッドを模式的に示す、（Ａ）は側面図であり、（Ｂ）は下面図である。
【図３】インクジェット記録ヘッドの記録領域を説明する図である。
【図４】インクジェット記録ヘッドのスペーサー部材の取り付け部分の構成を示す図である。
【図５】（Ａ）は幅狭の記録用紙Ｐ２を左基準で記録する様子を説明する図であり、（Ｂ）は記録用紙Ｐ２を移動し右基準で記録する様子を説明する図である。
【図６】（Ａ）は幅狭の記録用紙Ｐ３を左基準で記録する様子を説明する図であり、（Ｂ）は記録用紙Ｐ３を移動し右基準で記録する様子を説明する図である。
【図７】図１で幅狭の記録用紙Ｐ３を左基準で記録している様子を示す、（Ａ）は上方から見た図であり、（Ｂ）は側方から見た断面図ある。
【図８】図１で幅狭の記録用紙Ｐ３を右基準で記録している様子を示す、（Ａ）は上方から見た図であり、（Ｂ）は側方から見た断面図ある。
【図９】収容ストッカーの収容ガイドと排紙トレイの排ガイドとの移動を説明する模式図である。
【図１０】記録用紙Ｐ３に同一の画像を、（Ａ）は左基準で記録する様子を説明する図であり、（Ｂ）は右基準で記録する様子を説明する図である。
【図１１】同一の画像を、（Ａ）は記録用紙Ｐ３に右基準で記録する様子を説明する図であり、（Ｂ）は記録用紙Ｐ２に右基準で記録する様子を説明する図である。
【図１２】同一の画像を、（Ａ）−１は記録用紙Ｐ３に左基準で記録する様子を説明する図であり、（Ａ）−２は記録用紙Ｐ２に左基準で記録する様子を説明する図であり、（Ｂ）−１は記録用紙Ｐ３に中心基準で記録する様子を説明する図であり、（Ｂ）−２は記録用紙Ｐ２中心基準で記録する様子を説明する図である。
【図１３】記録用紙Ｐ３を用紙幅ずつ移動する様子を、（Ａ）から（Ｄ）に順番に示す図である。
【図１４】記録用紙Ｐ３を記録ユニット幅ずつ移動する様子を、（Ａ）から（Ｃ）に順番に示す図である。
【図１５】記録用紙Ｐ３を記録ユニット幅、二つ分ずつ移動する様子を、（Ａ）と（Ｂ）とに示す図である。
【図１６】記録用紙Ｐ２と記録用紙Ｐ３を、左基準と右基準とで両方同時に搬送し、両方に記録する様子を説明する図である。
【図１７】２枚の記録用紙Ｐ３を、左基準と右基準とで両方同時に搬送し、両方に記録する様子を説明する図である。
【図１８】本発明の第一実施形態の変形例に係るインクジェット記録装置を上方から見、（Ａ）は第一搬送部がＹ方向に移動する前の図であり、（Ｂ）は第一搬送部が移動した後の図である。
【図１９】インクジェット記録ヘッドをＹ方向に移動して、記録用紙とインクジェット記録ヘッドとのＹ方向の相対位置を変化させる様子を説明する図である。
【図２０】本発明の第二実施形態に係るドットインパクト式記録装置を模式的に示す上面図である。
【図２１】本発明の第二実施形態に係るドットインパクト式記録装置の記録ユニットを模式的に示す図である。
【図２２】本発明の第三実施形態に係る電子写真方式の記録装置を模式的に示す図である。
【図２３】本発明の第三実施形態に係る電子写真方式の記録装置のＬＥＤヘッドを模式的に示す断面図である。
【図２４】本発明の第三実施形態に係る電子写真方式の記録装置のＬＥＤヘッドを模式的に示す下面図である。
【符号の説明】
【０１２６】
１０      収容ストッカ（記録媒体収容部）
３０      インクジェット記録ヘッド（液滴吐出ヘッド）
３２      記録ヘッドユニット（液滴吐出ユニット）
６０      排紙トレイ（排出部）
１００      インクジェット記録装置（記録装置）
２００      ドットインパクト式記録装置（記録装置）
２０７      ドットインパクト式記録ヘッド
３００      電子写真方式記録装置（記録装置）
３０２      電子写真記録部
３１２      感光体ドラム（感光体）
３１６      ＬＥＤプリントヘッド（ＬＥＤヘッド）
ＰＷ      記録領域幅（記録領域）
Ｐ１      記録用紙（最大幅の記録媒体）
Ｐ２      記録用紙（幅狭の記録媒体）
Ｐ３      記録用紙（幅狭の記録媒体）
【図１】
2007130974.tif 000003
【図２】
2007130974.tif 000004
【図３】
2007130974.tif 000005
【図４】
2007130974.tif 000006
【図５】
2007130974.tif 000007
【図６】
2007130974.tif 000008
【図７】
2007130974.tif 000009
【図８】
2007130974.tif 000010
【図９】
2007130974.tif 000011
【図１０】
2007130974.tif 000012
【図１１】
2007130974.tif 000013
【図１２】
2007130974.tif 000014
【図１３】
2007130974.tif 000015
【図１４】
2007130974.tif 000016
【図１５】
2007130974.tif 000017
【図１６】
2007130974.tif 000018
【図１７】
2007130974.tif 000019
【図１８】
2007130974.tif 000020
【図１９】
2007130974.tif 000021
【図２０】
2007130974.tif 000022
【図２１】
2007130974.tif 000023
【図２２】
2007130974.tif 000024
【図２３】
2007130974.tif 000025
【図２４】
2007130974.tif 000026